(57)【要約】    【課題】本発明は、撮像装置本体の小型化を図ると共に、シャーシ部材の変形による筐体に対しての撮像レンズ鏡筒の光軸ズレを防止することができる撮像装置を提供する。    【解決手段】撮像装置１０は、シャーシ１１、撮像レンズ鏡筒１２、筐体Ａ３２、及び筐体Ｂ３４とを備え、撮像レンズ鏡筒１２は、撮像レンズ鏡筒１２の光軸と平行であると共に互いに略直交する二面においてシャーシ１１に保持されると共に、撮像レンズ鏡筒１２の光軸を対称軸として二面の交線と対称となる位置において筐体Ａ３２及び筐体Ｂ３４に保持される。【選択図】      図２
2007025144.tif 000002
【特許請求の範囲】
【請求項１】
筐体と、前記筐体の中に配置された内部構造物と、前記内部構造物に取り付けられた撮像レンズ鏡筒とを備える撮像装置において、
前記内部構造物は、撮像レンズ鏡筒の光軸と平行であると共に互いに略直交する二面を有し、前記撮像レンズ鏡筒は、前記二面において前記内部構造物に保持されると共に、前記撮像レンズ鏡筒の光軸を対称軸として前記二面の交線と対称となる位置において前記筐体に保持されることを特徴とする撮像装置。
【請求項２】
前記撮像レンズ鏡筒は前記対称となる位置にボス形状部を有し、前記筐体は前記ボス形状部に対応した位置にクリアランスをもって形成された受け形状部を有することを特徴とする請求項１記載の撮像装置。
【請求項３】
前記二面のうち一方の面に、前記撮像レンズ鏡筒を位置決めするための位置決め形状を設けたことを特徴とする請求項１又は２記載の撮像装置。
【請求項４】
前記ボス形状部に嵌合するシート部材を備えることを特徴とする請求項２又は３記載の撮像装置。
【発明の詳細な説明】
【技術分野】
【０００１】
本発明は、撮像装置に関し、特に、撮像レンズ鏡筒を有するデジタルカメラ、デジタルビデオカメラ、及び銀塩カメラ等の撮像装置に関する。
【背景技術】
【０００２】
従来より、撮像レンズ鏡筒を介してＣＣＤ等の撮像素子により被写体像から画像データを取得し、記録メディアカード等の記録媒体に画像データを記録するデジタルカメラが知られている。このデジタルカメラにおいて、筐体に対して撮像レンズ鏡筒の光軸ズレがあると、三脚撮影時に被写体を正確に捕らえることができず、特に沈胴式の撮像レンズ鏡筒の場合は、筐体前面の撮像レンズ鏡筒用孔に撮像レンズ鏡筒が干渉してデジタルカメラが動作不能となる場合がある。そのため、デジタルカメラの筐体と撮像レンズ鏡筒の光軸が正確に合っていることは重要である。
【０００３】
撮像レンズ鏡筒のデジタルカメラ本体への取り付け方法としては、以下の２つが挙げられる。第１の方法は、撮像レンズ鏡筒を直接筐体で保持する方法である（例えば、特許文献１参照）。この第１の方法によれば、間に他の部品を介さずに筐体に直接撮像レンズ鏡筒を取り付けるので、寸法公差の累積が比較的少なく、筐体と撮像レンズ鏡筒の光軸ズレを最小限に止めることができる。しかし、外部に露出する筐体に撮像レンズ鏡筒やプリント基板等の部品を取り付けるので、組み立て時に筐体に傷を付け易い。また、筐体に傷を付けた場合、筐体に取り付けた多くの部品を順次外してから、筐体を交換しなければならない。
【０００４】
第２の方法は、図５に示すように、デジタルカメラ本体の骨格となるシャーシ部材に撮像レンズ鏡筒を取り付ける方法である。
【０００５】
図５において、従来のデジタルカメラ２０は、デジタルカメラ２０本体の骨格となる樹脂で形成されたシャーシ２１と、シャーシ２１に取り付けられた撮像レンズ鏡筒２２と、表示部であるＬＣＤ２３と、プリント基板２４とを備える。
【０００６】
シャーシ２１は、デジタルカメラ２０の駆動源となる円筒状の電池二本を収納する電池収納部２１ａと、上記電池の長手方向軸と平行な撮像レンズ鏡筒取り付け面２１ｂとを有する。撮像レンズ鏡筒２２は、撮像レンズ鏡筒取り付け面２１ｂと当接し、不図示の締結ビス３本でシャーシ２１に固定される。
【０００７】
ＬＣＤ２３は、撮像レンズ鏡筒取り付け面２１ｂの撮像レンズ鏡筒２２とは反対側に当接され、不図示の締結ビスで固定される。プリント基板２４は、電池収納部２１ａ側に取り付けられる。その後、その他不図示の各種の内部部品がシャーシ２１に取り付けられ、最後に不図示の筐体がシャーシ２１に取り付けられる。この際、筐体はシャーシ２１に設けた筐体締結ビス部２１ｃで固定される。
【０００８】
ここで、電池収納部２１ａと筐体に位置ズレが生じると、電池が本体から抜けなくなる。また、プリント基板２４と、筐体に取り付けられた不図示の操作部材との位置ズレが生じると、操作部材でプリント基板上のスイッチを操作できなくなる。そのため、筐体は、電池収納部２１ａ側でシャーシ２１に対して位置決めされる。
【０００９】
この第２の方法によれば、撮像レンズ鏡筒や、プリント基板等の部品をシャーシ２１に取り付け、最後に筐体をシャーシ２１に取り付けるので、組み立て時に筐体に傷を付けることが少ない。また、筐体に傷が付いた場合は、容易に筐体のみを交換することができる。そのため、現在この第２の方法が多く採用されている。
【特許文献１】特開平８−１９５８９９号公報
【発明の開示】
【発明が解決しようとする課題】
【００１０】
しかしながら、上記従来のデジタルカメラ２０において、シャーシ２１は、形状的に成形の際の離型抵抗バランスが不均等であるので、金型離型時に、撮像レンズ鏡筒取り付け面２１ｂが電池収納部２１ａ側に対して図５の矢印Ａ方向へ反り易い。また、シャーシ２１は、充填体積が不均等であるので、金型離型前の冷却時にも矢印Ａ方向へ反り易い。
【００１１】
このシャーシ２１の反りにより、電池収納部２１ａ側で位置決めされる筐体と、撮像レンズ鏡筒取り付け面２１ｂに取り付けられる撮像レンズ鏡筒２２及びＬＣＤ２３との間に位置ズレが生じる。
【００１２】
また、シャーシ２１を樹脂で形成する場合には、シャーシ２１の強度を確保するために、撮像レンズ鏡筒取り付け面２１ｂを厚くする必要がある。その結果、撮像レンズ鏡筒２２とＬＣＤ２３の間隔が広くなり、デジタルカメラ２０本体が厚くなる。
【００１３】
本発明の目的は、撮像装置本体の小型化を図ると共に、シャーシ部材の変形による筐体に対しての撮像レンズ鏡筒の光軸ズレを防止することができる撮像装置を提供することにある。
【課題を解決するための手段】
【００１４】
上述の目的を達成するために、請求項１記載の撮像装置は、筐体と、前記筐体の中に配置された内部構造物と、前記内部構造物に取り付けられた撮像レンズ鏡筒とを備える撮像装置において、前記内部構造物は、撮像レンズ鏡筒の光軸と平行であると共に互いに略直交する二面を有し、前記撮像レンズ鏡筒は、前記二面において前記内部構造物に保持されると共に、前記撮像レンズ鏡筒の光軸を対称軸として前記二面の交線と対称となる位置において前記筐体に保持されることを特徴とする。
【発明の効果】
【００１５】
請求項１記載の撮像装置によれば、撮像レンズ鏡筒は、撮像レンズ鏡筒の光軸と平行であると共に互いに略直交する二面において内部構造物に保持されると共に、撮像レンズ鏡筒の光軸を対称軸として二面の交線と対称となる位置において筐体に保持されるので、撮像装置本体の小型化を図ると共に、シャーシ部材の変形による筐体に対しての撮像レンズ鏡筒の光軸ズレを防止することができる。
【発明を実施するための最良の形態】
【００１６】
以下、本発明の実施の形態を図面を参照しながら詳述する。
【００１７】
図１及び図２は、本発明の実施の形態に係る撮像装置の内部構成を示す斜視図である。
【００１８】
図１及び図２において、本発明の実施の形態に係る撮像装置としてのデジタルカメラ１０は、デジタルカメラ１０の骨格となる樹脂で形成されたシャーシ１１と、シャーシ１１に取り付けられた撮像レンズ鏡筒１２とを備える。
【００１９】
図１に示すように、シャーシ１１は、デジタルカメラ１０の駆動源となる円筒状の電池二本を収納する電池収納部１１aと、撮像レンズ鏡筒取り付け部１１ｂとを有する。撮像レンズ鏡筒取り付け部１１ｂは、撮像レンズ鏡筒１２の光軸と平行であると共に互いに略直交する二面から成る。撮像レンズ鏡筒取り付け部１１ｂの一方の面は、電池の長手方向軸と略直交するように電池収納部１１a側に設けられ、他方の面は、電池と略平行に設けられている。
【００２０】
撮像レンズ鏡筒取り付け部１１ｂの電池収納部１１a側に設けられた面の両端には、撮像レンズ鏡筒１２をシャーシ１１に対して位置決めするための撮像レンズ鏡筒位置決め形状１１ｃが形成されている。また、撮像レンズ鏡筒取り付け部１１ｂの各略端点及び撮像レンズ鏡筒取り付け部１１ｂを構成する二面の交点の３箇所には、撮像レンズ鏡筒１２をシャーシ１１に取り付けるためのビス締結部１１ｄが形成されている。
【００２１】
図２に示すように、撮像レンズ鏡筒１２は、撮像レンズ鏡筒取り付け部１１ｂに当接し、撮像レンズ鏡筒位置決め形状１１ｃで径嵌合することによりシャーシ１１に対して位置決めされる。また、撮像レンズ鏡筒１２は、３箇所のビス締結部１１ｄにおいて、シャーシ１１にビスで固定される。
【００２２】
さらに、撮像レンズ鏡筒１２は、撮像レンズ鏡筒１２の光軸を対称軸として、撮像レンズ鏡筒取り付け部１１ｂの二面の交点と対称となる位置にボス形状１２ａを有している。
【００２３】
シャーシ１１は、形状的に成形の際の離型抵抗バランスが不均等であるので、金型離型時に、図２の矢印Ｂ方向へ反り易い。また、充填体積が不均等であるので、金型離型前の冷却時にも、矢印Ｂ方向へ反り易い。しかし、矢印Ｂ方向へ反っても、撮像レンズ鏡筒１２が当接する領域の光軸方向高さは、電池収納部１１a側に対して変形しない。
【００２４】
また、撮像レンズ鏡筒位置決め形状１１ｃは、撮像レンズ鏡筒取り付け部１１ｂの変形し難い電池収納部１１a側に設けられた面のみに形成されているので、矢印Ｂ方向への反りが発生しても電池収納部１１aと撮像レンズ鏡筒１２との位置ズレは発生しない。
【００２５】
また、デジタルカメラ１０は、図３に示すように、シャーシ１１に取り付けられたプリント基板３１と、筐体Ａ３２及び筐体Ｂ３４とを備える。ここで、図３は、説明の便宜上、ＬＣＤを取り外し、筐体Ａ３２を一部切り取った図としている。
【００２６】
筐体Ａ３２は、撮像レンズ鏡筒のボス形状１２ａに対応した位置に僅かなクリアランスをもって撮像レンズ鏡筒受け形状部３２ａを有する。これにより、撮像レンズ鏡筒受け形状部３２ａがボス形状１２ａを保持するので、撮像レンズ鏡筒１２の前面に外力が加えられた場合に、シャーシ１１で保持されていない他の二辺の方向に撮像レンズ鏡筒１２が傾くのを防止することができる。
【００２７】
また、筐体Ｂ３４は、撮像レンズ鏡筒受け形状部３２ａの近傍に、ビス締結部３３を有する。これにより、筐体Ａ３２及び筐体Ｂ３４がビスによりシャーシ１２に強固に固定されるので、撮像レンズ鏡筒１２の前面に外力が加えられた場合に、筐体Ａ３２及び筐体Ｂ３４が開くのを防止することができる。
【００２８】
さらに、デジタルカメラ１０は、撮像レンズ鏡筒１２の背面部に撮像レンズ鏡筒取り付け面を配置しないので、撮像装置の小型化を図ることができる。
【００２９】
上記構成によれば、撮像レンズ鏡筒１２は、撮像レンズ鏡筒１２の光軸と平行であると共に互いに略直交する二面においてシャーシ１１に保持されると共に、撮像レンズ鏡筒１２の光軸を対称軸として二面の交線と対称となる位置において筐体Ａ３２及び筐体Ｂ３４に保持されるので、撮像装置本体の小型化を図ると共に、シャーシ部材の変形による筐体に対しての撮像レンズ鏡筒の光軸ズレを防止することができる。
【００３０】
尚、図４に示すように、デジタルカメラ１０は、ＦＰＣ（Flexible Printed Circuits）４１を備え、ＦＰＣ４１は、ボス形状１２ａに対応した位置に位置決め孔４１ａを有していてもよい。この位置決め孔４１ａをボス形状１２ａに径嵌合させることにより、組み立て作業性を向上させることができる。
【図面の簡単な説明】
【００３１】
【図１】本発明の実施の形態に係る撮像装置の内部構成を示す斜視図である。
【図２】図１の撮像装置の内部構成を示す斜視図である。
【図３】図１の撮像装置の外観を示す斜視図である。
【図４】図１の撮像装置の変形例の構成を示す斜視図である。
【図５】従来の撮像装置の内部構成を示す斜視図である。
【符号の説明】
【００３２】
１１  シャーシ
１２  撮像レンズ鏡筒
３１  プリント基板
３２  筐体Ａ
３３  ビス締結部
３４  筐体Ｂ
４１  ＦＰＣ
【図１】
2007025144.tif 000003
【図２】
2007025144.tif 000004
【図３】
2007025144.tif 000005
【図４】
2007025144.tif 000006
【図５】
2007025144.tif 000007